【手続補正書】
【提出日】平成23年9月2日(2011.9.2)
【手続補正１】
【補正対象書類名】特許請求の範囲
【補正対象項目名】全文
【補正方法】変更
【補正の内容】
【特許請求の範囲】
【請求項１】
動画を撮像記録する動画撮像手段と、
位置情報を取得する位置情報取得手段と、
前記位置情報取得手段により取得された位置情報に基づいて、位置に関する所定の事象が発生したことを特定する特定手段と、
前記動画撮像手段により撮像される動画のフレームを選択するための条件となる記録要因を指定する記録要因指定手段と、
前記動画撮像手段による動画の撮像記録動作中に、前記記録要因指定手段により指定された記録要因に該当する事象が発生したことが前記特定手段により特定されると、該記録要因の発生時点における前記動画撮像手段により撮像された動画のフレームを所定の処理の対象として逐次選択していくフレーム選択手段と
を備えることを特徴とする動画撮像装置。
【請求項２】
前記動画撮像手段による動画の撮像記録動作中に前記フレーム選択手段により選択された複数のフレームを示すフレーム選択情報を、前記動画撮像手段により撮像記録された動画に対応付けて記録するフレーム選択情報記録手段を更に備えることを特徴とする請求項１記載の動画撮像装置。
【請求項３】
前記フレーム選択情報記録手段は、
前記動画撮像手段による動画の撮像記録動作中に、前記記録要因指定手段により指定された記録要因に該当する事象が発生すると、前記記録要因の発生時点における前記位置情報取得手段により取得した位置情報を、前記フレーム選択手段により選択されるフレームを示すフレーム選択情報に対応付けて記録することを特徴とする請求項２記載の動画撮像装置。
【請求項４】
前記フレーム選択情報記録手段は、
前記動画撮像手段による動画の撮像記録動作中に、前記記録要因指定手段により指定された記録要因に該当する事象が発生すると、この発生した記録要因を示す情報を、記フレーム選択手段により選択されるフレームを示すフレーム選択情報に対応付けて記録することを特徴とする請求項２または３に記載の動画撮像装置。
【請求項５】
前記動画撮像手段による動画の撮像記録動作中に前記フレーム選択手段により選択された複数のフレームの個数を更に記憶する選択個数情報記録手段を更に備えることを特徴とする請求項１乃至４のいずれかに記載の動画撮像装置。
【請求項６】
前記特定手段は、前記位置情報取得手段により逐次取得される位置情報に基づいて、距離変化または方向変化に係る所定の事象が発生したことを特定し、
前記記録要因指定手段は、
少なくとも、撮影開始からの時間経過、距離変化、方向変化、指定方向への方向変化を、前記記録要因として指定することを特徴とする請求項１乃至５のいずれかに記載の動画撮像装置。
【請求項７】
撮像記録後の動画ファイルを用いて所定の処理を実行する複数の処理機能に対して、それぞれの処理機能で利用可能な記録要因を記憶する記憶手段と、
前記撮像記録後の動画ファイルに対して利用する処理機能を指定する処理機能指定手段とを更に具備し、
前記記録要因指定手段は、
前記処理機能指定手段により指定された処理機能に対して前記記憶手段に記憶されている記録要因を、前記指定された記録要因とすることを特徴とする請求項１乃至６のいずれかに記載の動画撮像装置。
【請求項８】
前記フレーム選択情報記録手段により記録されたフレーム選択情報で示される複数のフレームを、該フレーム選択情報に対応して記録されている動画から抽出するフレーム抽出手段と、
前記フレーム抽出手段により抽出された複数のフレームに対して所定の処理を実行する処理手段と
を更に具備することを特徴とする請求項２乃至７のいずれかに記載の動画撮像装置。
【請求項９】
前記フレーム選択情報記録手段により記録されたフレーム選択情報で示される複数のフレームを、該フレーム選択情報に対応して記録されている動画から抽出するフレーム抽出手段と、
前記フレーム選択情報に対応付けて記録された前記位置情報に基づいて、前記フレーム抽出手段により抽出されたフレームに対して所定の処理を実行する処理手段と
を更に具備することを特徴とする請求項２乃至７のいずれかに記載の動画撮像装置。
【請求項１０】
動画を撮像記録するステップと、
位置情報を取得するステップと、
前記取得された位置情報に基づいて、位置に関する所定の事象が発生したことを特定するステップと、
前記撮像記録される動画のフレームを選択するための条件となる記録要因を指定するステップと、
動画の撮像記録中に、前記指定された記録要因に該当する事象が発生したことが前記特定手段により特定されると、該記録要因の発生時点で撮像された動画のフレームを所定の処理の対象として逐次選択していくステップと
を含むことを特徴とする動画撮像方法。
【請求項１１】
動画を撮像する動画撮像装置の動作を制御するプログラムであって、
コンピュータに、
動画を撮像記録する動画撮像機能、
位置情報を取得する位置情報取得機能、
前記位置情報取得機能により取得された位置情報に基づいて、位置に関する所定の事象が発生したことを特定する特定機能、
前記動画撮像機能により撮像される動画のフレームを選択するための条件となる記録要因を指定する記録要因指定機能、
前記動画撮像機能による動画の撮像記録動作中に、前記記録要因指定機能により指定された記録要因に該当する事象が発生したことが前記特定手段により特定されると、該記録要因の発生時点における前記動画撮像機能により撮像された動画のフレームを所定の処理の対象として逐次選択していくフレーム選択機能、
を実現させることを特徴とするプログラム。
【手続補正２】
【補正対象書類名】明細書
【補正対象項目名】０００６
【補正方法】変更
【補正の内容】
【０００６】
上記目的達成のため、本発明による動画撮像装置は、動画を撮像記録する動画撮像手段と、位置情報を取得する位置情報取得手段と、前記位置情報取得手段により取得された位置情報に基づいて、位置に関する所定の事象が発生したことを特定する特定手段と、前記動画撮像手段により撮像される動画のフレームを選択するための条件となる記録要因を指定する記録要因指定手段と、前記動画撮像手段による動画の撮像記録動作中に、前記記録要因指定手段により指定された記録要因に該当する事象が発生したことが前記特定手段により特定されると、該記録要因の発生時点における前記動画撮像手段により撮像された動画のフレームを所定の処理の対象として逐次選択していくフレーム選択手段とを備えることを特徴とする。
【手続補正３】
【補正対象書類名】明細書
【補正対象項目名】０００７
【補正方法】変更
【補正の内容】
【０００７】
また、好ましい態様として更に、前記動画撮像手段による動画の撮像記録動作中に前記フレーム選択手段により選択された複数のフレームを示すフレーム選択情報を、前記動画撮像手段により撮像記録された動画に対応付けて記録するフレーム選択情報記録手段を更に備えることを特徴とする。
また、好ましい態様として更に、前記フレーム選択情報記録手段は、前記動画撮像手段による動画の撮像記録動作中に、前記記録要因指定手段により指定された記録要因に該当する事象が発生すると、前記記録要因の発生時点における前記位置情報取得手段により取得した位置情報を、前記フレーム選択手段により選択されるフレームを示すフレーム選択情報に対応付けて記録することを特徴とする。
【手続補正４】
【補正対象書類名】明細書
【補正対象項目名】０００８
【補正方法】変更
【補正の内容】
【０００８】
また、好ましい態様として更に、前記フレーム選択情報記録手段は、前記動画撮像手段による動画の撮像記録動作中に、前記記録要因指定手段により指定された記録要因に該当する事象が発生すると、この発生した記録要因を示す情報を、記フレーム選択手段により選択されるフレームを示すフレーム選択情報に対応付けて記録することを特徴とする。
【手続補正５】
【補正対象書類名】明細書
【補正対象項目名】０００９
【補正方法】変更
【補正の内容】
【０００９】
また、好ましい態様として更に、前記動画撮像手段による動画の撮像記録動作中に前記フレーム選択手段により選択された複数のフレームの個数を更に記憶する選択個数情報記録手段を更に備えることを特徴とする。
【手続補正６】
【補正対象書類名】明細書
【補正対象項目名】００１０
【補正方法】変更
【補正の内容】
【００１０】
また、好ましい態様として更に、前記特定手段は、前記位置情報取得手段により逐次取得される位置情報に基づいて、距離変化または方向変化に係る所定の事象が発生したことを特定し、前記記録要因指定手段は、少なくとも、撮影開始からの時間経過、距離変化、方向変化、指定方向への方向変化を、前記記録要因として指定することを特徴とする。
【手続補正７】
【補正対象書類名】明細書
【補正対象項目名】００１１
【補正方法】変更
【補正の内容】
【００１１】
また、好ましい態様として更に、撮像記録後の動画ファイルを用いて所定の処理を実行する複数の処理機能に対して、それぞれの処理機能で利用可能な記録要因を記憶する記憶手段と、前記撮像記録後の動画ファイルに対して利用する処理機能を指定する処理機能指定手段とを更に具備し、前記記録要因指定手段は、前記処理機能指定手段により指定された処理機能に対して前記記憶手段に記憶されている記録要因を、前記指定された記録要因とすることを特徴とする。
【手続補正８】
【補正対象書類名】明細書
【補正対象項目名】００１２
【補正方法】変更
【補正の内容】
【００１２】
また、好ましい態様として更に、前記フレーム選択情報記録手段により記録されたフレーム選択情報で示される複数のフレームを、該フレーム選択情報に対応して記録されている動画から抽出するフレーム抽出手段と、前記フレーム抽出手段により抽出された複数のフレームに対して所定の処理を実行する処理手段とを更に具備することを特徴とする。
【手続補正９】
【補正対象書類名】明細書
【補正対象項目名】００１３
【補正方法】変更
【補正の内容】
【００１３】
また、好ましい態様として更に、前記フレーム選択情報記録手段により記録されたフレーム選択情報で示される複数のフレームを、該フレーム選択情報に対応して記録されている動画から抽出するフレーム抽出手段と、前記フレーム選択情報に対応付けて記録された前記位置情報に基づいて、前記フレーム抽出手段により抽出されたフレームに対して所定の処理を実行する処理手段とを更に具備することを特徴とする。
【手続補正１０】
【補正対象書類名】明細書
【補正対象項目名】００１４
【補正方法】変更
【補正の内容】
【００１４】
上記目的達成のため、本発明による動画撮像方法は、動画を撮像記録するステップと、位置情報を取得するステップと、前記取得された位置情報に基づいて、位置に関する所定の事象が発生したことを特定するステップと、前記撮像記録される動画のフレームを選択するための条件となる記録要因を指定するステップと、動画の撮像記録中に、前記指定された記録要因に該当する事象が発生したことが前記特定手段により特定されると、該記録要因の発生時点で撮像された動画のフレームを所定の処理の対象として逐次選択していくステップとを含むことを特徴とする。
【手続補正１１】
【補正対象書類名】明細書
【補正対象項目名】００１５
【補正方法】変更
【補正の内容】
【００１５】
上記目的達成のため、本発明によるプログラムは、動画を撮像する動画撮像装置の動作を制御するプログラムであって、コンピュータに、動画を撮像記録する動画撮像機能、位置情報を取得する位置情報取得機能、前記位置情報取得機能により取得された位置情報に基づいて、位置に関する所定の事象が発生したことを特定する特定機能、前記動画撮像機能により撮像される動画のフレームを選択するための条件となる記録要因を指定する記録要因指定機能、前記動画撮像機能による動画の撮像記録動作中に、前記記録要因指定機能により指定された記録要因に該当する事象が発生したことが前記特定手段により特定されると、該記録要因の発生時点における前記動画撮像機能により撮像された動画のフレームを所定の処理の対象として逐次選択していくフレーム選択機能、を実現させることを特徴とする。
【手続補正１２】
【補正対象書類名】明細書
【補正対象項目名】００１６
【補正方法】変更
【補正の内容】
【００１６】
この発明によれば、動画の撮像記録動作中に、位置に関する所定の事象であって、指定した記録要因に該当する事象が発生したときに撮像されたフレームを所定の処理の対象として逐次選択していくので、動画撮影時における処理効率及び記録効率を向上させることができる。